(57)【要約】【課題】デスクワークや長時間の運転など一定の姿勢を取ることが多く運動不足になりがちな現代人の血流を良くし、それによって体調を整え、かつ簡単に身につけることのできる製品を提供する。【解決手段】身に付ける衣類、体に触れる製品本体に、高純度炭素を付着した不織布を少なくとも一部に付設することにより、身体の血流を良くし体調を整え、かつ個々人の多様な好みに合わせて必要な製品を選び、気軽に装着することをができるものである。【選択図】図１
0003138294.tif 000002
【実用新案登録請求の範囲】
【請求項１】
高純度炭素付着布を少なくとも一部に縫い付けていることを特徴とする製品。
【請求項２】
サポーターである請求項１に記載の製品。
【請求項３】
ガードルである請求項１に記載の製品。
【請求項４】
女性の肌着である請求項１に記載の製品。
【請求項５】
ざぶとんである請求項に１記載にの製品。
【請求項６】
クッションおよびクッションカバーである請求項１に記載の製品。
【請求項７】
抱き枕である請求項１に記載の製品。
【請求項８】
ベッドパッドである請求項１に記載の製品。
【請求項９】
ヨガマットである請求項１に記載の製品。
【請求項１０】
ブラスリップ及びブラキャミソールである請求項１に記載の製品。
【請求項１１】
ストッキングである請求項１に記載の製品。
【請求項１２】
ウエストニッパーである請求項１に記載の製品。
【請求項１３】
スパッツである請求項１に記載の製品。
【請求項１４】
靴の中敷である請求項１に記載の製品。
【請求項１５】
レッグウォーマーである請求項１に記載の製品。
【請求項１６】
靴下である請求項１に記載の製品。
【請求項１７】
腰痛ベルトである請求項１に記載の製品。
【請求項１８】
マフラーである請求項１に記載の製品。
【請求項１９】
足袋である請求項１に記載の製品。
【請求項２０】
手袋である請求項１に記載の製品。
【請求項２１】
靴である請求項１に記載の製品。
【請求項２２】
スポーツウェアである請求項１に記載の製品。
【請求項２３】
椅子である請求項１に記載の製品。
【考案の詳細な説明】
【技術分野】
【０００１】
本考案は、体に接する製品において高純度炭素付着布を付設することにより血流を良くし体調を整える製品である。
【背景技術】
【０００２】
現代人は長時間の車の運転やデスクワークなどで運動不足になり血流が悪く、さまざまな体調不良を起こしがちである。
【０００３】
従来の血流を良くする製品は直接肌に触れねばならなかった（例えば、特許文献１参照）。
【０００４】
【特許文献１】特開２００１−１１２８７５公報
【考案の開示】
【考案が解決しようとする課題】
【０００５】
本考案の課題は、上述した問題点を解決するため日常で使用している繊維製品に高純度炭素付着布を付設することにより手軽に血流を良くする製品を提供することである。
【課題を解決するための手段】
【０００６】
本考案は、上述した課題を解決するため、高純度炭素を含む不織布を少なくとも一部に付設した身に付ける製品。
【考案の効果】
【０００７】
日常で使用するアイテムに高純度炭素付着布を付設することにより血流が良くなるので無理なく健康になれる利点がある。
【考案を実施するための最良の形態】
【０００８】
本考案は日常的に人体に接する製品に高純度炭素付着布を付設することを特徴とする。
【０００９】
さらに、高純度炭素が血流を良くし日常生活を円滑に送れる機能を持たせた構造である。
【実施例】
【００１０】
図１は本考案からなる脚部に装着するサポーターの図である。
【００１１】
図２は本考案からなる腕部に装着するサポーターの図である。
【００１２】
図３は本考案からなるガードルの図である。
【００１３】
図４は本考案からなる女性の肌着の図である。
【００１４】
図５は本考案からなるざぶとんの図である。
【００１５】
図６は本考案からなるクッションの図である。
【００１６】
図７は本考案からなる抱き枕の図である。
【００１７】
図８は本考案からなるベッドパッドの図である。
【００１８】
図９は本考案からなるヨガマットの図である。
【００１９】
図１０は本考案からなるブラスリップおよびブラキャミソールの図である。
【００２０】
図１１は本考案からなるストッキングの図である。
【００２１】
図１２は本考案からなるウエストニッパーの図である。
【００２２】
図１３は本考案からなる腹巻の図である。
【００２３】
図１４は本考案からなるスパッツの図である。
【００２４】
図１５は本考案からなる靴の中敷の図である。
【００２５】
図１６は本考案からなるレッグウォーマーの図である。
【００２６】
図１７は本考案からなる靴下の図である。
【００２７】
図１８は本考案からなる腰痛ベルトの図である。
【００２８】
図１９は本考案からなるマフラーの図である。
【００２９】
図２０は本考案からなる足袋の図である。
【００３０】
図２１は本考案からなる手袋の図である。
【００３１】
図２２は本考案からなる靴の図である。
【００３２】
図２３は本考案からなる椅子の図である。
【図面の簡単な説明】
【００３３】
【図１】本考案の実施例からなる脚部にサポーターを装着した図である。
【図２】本考案の実施例からなる腕部にサポーターを装着した図である。
【図３】本考案の実施例からなるガードルを前から見た図である。
【図４】本考案の実施例からなる女性の肌着を前から見た図である。
【図５】本考案の実施例からなるざぶとんの図である。
【図６】本考案の実施例からなるクッションの図である。
【図７】本考案の実施例からなる抱き枕の図である。
【図８】本考案の実施例からなるベッドパッドの図である。
【図９】本考案の実施例からなるヨガマットの図である。
【図１０】本考案の実施例からなるブラスリップおよびブラキャミソールを前から見た図である。
【図１１】本考案の実施例からなるストッキングを前から見た図である。
【図１２】本考案の実施例からなるウエストニッパーを前から見た図である。
【図１３】本考案の実施例からなる腹巻の図である。
【図１４】本考案の実施例からなるスパッツを前から見た図である。
【図１５】本考案の実施例からなる靴の中敷の図である。
【図１６】本考案の実施例からなるレッグウォーマーの図である。
【図１７】本考案の実施例からなる靴下の図である。
【図１８】本考案の実施例からなる腰痛ベルトを前から見た図である。
【図１９】本考案の実施例からなるマフラーを前から見た図である。
【図２０】本考案の実施例からなる足袋の図である。
【図２１】本考案の実施例からなる手袋の図である。
【図２２】本考案の実施例からなる靴の図である。
【図２３】本考案の実施例からなる椅子の図である。
【符号の説明】
【００３４】
Ａ    高純炭素縫い付け部
【図１】
0003138294.tif 000003
【図２】
0003138294.tif 000004
【図３】
0003138294.tif 000005
【図４】
0003138294.tif 000006
【図５】
0003138294.tif 000007
【図６】
0003138294.tif 000008
【図７】
0003138294.tif 000009
【図８】
0003138294.tif 000010
【図９】
0003138294.tif 000011
【図１０】
0003138294.tif 000012
【図１１】
0003138294.tif 000013
【図１２】
0003138294.tif 000014
【図１３】
0003138294.tif 000015
【図１４】
0003138294.tif 000016
【図１５】
0003138294.tif 000017
【図１６】
0003138294.tif 000018
【図１７】
0003138294.tif 000019
【図１８】
0003138294.tif 000020
【図１９】
0003138294.tif 000021
【図２０】
0003138294.tif 000022
【図２１】
0003138294.tif 000023
【図２２】
0003138294.tif 000024
【図２３】
0003138294.tif 000025